(57)【特許請求の範囲】
【請求項１】
金属からなり、少なくとも、連結すべき他部材に面接触する外側面を有する連結片と、係る連結片の内側面から係る連結片と直角で且つ互いに平行に延びた一対の内側片と、係る一対の内側片の対向する内面に形成された一対の雌ネジ面と、を含む断面形状を押出方向の全長に沿って有する押出形材において、上記連結片の外側面と一対の内側片の基部との間を貫通する通し孔を形成し、
上記押出形材における連結片の外側面に、連結すべき他部材またはその一部を面接触させ、係る他部材またはその一部を貫通したボルトの雄ネジ部を上記通し孔に貫通させると共に、上記一対の雌ネジ面にネジ結合してなる、
ことを特徴とする押出形材と他部材との連結構造。
【請求項２】
前記一対の内側片の先端部は、互いに接近するように傾斜している、
ことを特徴とする請求項１に記載の押出形材と他部材との連結構造。
【請求項３】
前記一対の内側片の先端部は、直角に交差する底片を介して連結され、係る底片、前記一対の雌ネジ面、および前記連結片の内側面に囲まれた中空部が形成されている、
ことを特徴とする請求項１に記載の押出形材と他部材との連結構造。
【請求項４】
前記一対の雌ネジ面に挟まれた位置における前記連結片の外側面と内側面との間の厚みは、係る一対の雌ネジ面におけるネジ谷径の４０％以上である、
ことを特徴とする請求項１乃至３の何れか一項に記載の押出形材と他部材との連結構造。
【発明の詳細な説明】
【技術分野】
【０００１】
本発明は、押出形材と他部材との強固で且つ意匠性に優れた連結構造に関する。
【背景技術】
【０００２】
例えば、クリーンルーム内のケーシングの骨格を構成する支柱として、断面角形の中空押出形材からなり、四辺の各側面に断面ほぼＵ字形で且つ対向する一対の内側面に凹凸条を有する受溝を押出方向に沿って一対ずつ平行に形成したものを用い、該支柱と直角に連結すべき横桟との内隅部に配置した連結ブラケットを貫通した複数の取付ねじを、上記支柱の各受溝内に進入させてネジ結合した後、上記連結ブラケットがない位置の受溝の開口部にカバー用の目板を嵌め込むようにしたケーシング及びそれに用いる構造用柱部材が提案されている（例えば、特許文献１参照）。
【０００３】
前記構造用柱部材によれば、現場において取付ねじ用の孔明け加工が不要となるため、組立作業が簡単になる、という効果を奏することができる。
しかし、前記構造用柱部材と前記横桟のような他部材とを連結する場合、取付ねじは、上記構造用柱部材の受溝の開口部付近ではフリーであるため、あるいは、不用意な外力によって、係る受溝の長手（押出）方向に沿って傾き易く、当該受溝の深さ（垂直）方向に沿ってねじ込みにくい、という問題がある。
しかも、前記受溝は、他部材や連結ブラケット以外の位置では、その開口部が外部に露出するため、これをカバー（目隠し）すべく、前記のような目板を別途用意し、これを所定長さに切断して、受溝の開口部に嵌め込む作業が必要となる。その結果、所要の断面を有する目板の用意やその嵌め込み作業によって、施工数が増えて且つコスト高になる、という問題もあった。
【先行技術文献】
【特許文献】
【０００４】
【特許文献１】特開２００２−３１３８１号公報（第１〜１０頁、図１〜１１）
【発明の概要】
【発明が解決しようとする課題】
【０００５】
本発明は、背景技術において説明した問題点を解決し、押出形材と他部材との連結に際し、他部材を貫通した連結用のボルト（ビス）を、押出形材の押出方向と直交する方向に容易に、正確で且つ強固にねじ込め、且つカバー用の別部材を不要とする押出形材と他部材との連結構造を提供する、ことを課題とする。
【課題を解決するための手段および発明の効果】
【０００６】
本発明は、前記課題を解決するため、他部材を貫通した連結用のボルトを押出形材の外側に露出する連結片に明けた通し孔に貫通させ、且つ係るボルト雄ネジ部を前記通し孔の内側に位置する一対の雌ネジ面とネジ結合させる、ことに着想して成されたものである。
即ち、本発明による押出形材と他部材との連結構造（請求項１）は、金属からなり、少なくとも、連結すべき他部材に面接触する外側面を有する連結片と、係る連結片の内側面から係る連結片と直角で且つ互いに平行に延びた一対の内側片と、係る一対の内側片の対向する内面に形成された一対の雌ネジ面と、を含む断面形状を押出方向の全長に沿って有する押出形材において、上記連結片の外側面と一対の内側片の基部との間を貫通する通し孔を形成し、上記押出形材における連結片の外側面に、連結すべき他部材またはその一部を面接触させ、係る他部材またはその一部を貫通したボルトの雄ネジ部を上記通し孔に貫通させると共に、上記一対の雌ネジ面にネジ結合してなる、ことを特徴とする。
【０００７】
これによれば、他部材を貫通したボルト（ビス）は、その雄ネジ部が押出形材における連結片の通し孔を貫通した後、一対の内側片の内面に対向して形成された一対の雌ネジ面に、係る雄ネジ部の径方向における両端付近の雄ネジの周面が先端側から基端側に向かって順次ネジ結合される。この際、ボルトの雄ネジ部は、そのネジ山・谷が一対の雌ネジ面ごとのネジ谷・山を係る雌ネジ面の幅（深さ）方向に沿って若干かじりつつ、順次ネジ結合している。その結果、他部材は、上記ボルトによって、押出形材の連結片における外側面に面接触ししつ強固に結合される。しかも、上記ボルトは、押出形材の連結片に予め設けた通し孔を貫通するので、一対の雌ネジ面からなる雌ネジ溝の深さ方向（押出方向と直交する方向）に沿って正確にねじ込まれると共に、不用意な外力により傾くことがない。しかも、従来のように、一対の雌ネジ面からなる雌ネジ溝が外部に露出しないため、これを外部から目隠しする目板を嵌め込む必要もなくなる。従って、押出形材の連結片に通し孔を予め設けるだけで、他部材を押出形材の押出方向と直交する方向に容易、正確で且つ強固にねじ込んで連結でき、且つカバー用の目板などを不要とすることができる。
【０００８】
尚、前記押出形材は、アルミニウム合金からなるものに限らず、その他の金属（鉄、チタン、マグネシウムなど）や合金（鋼、ステンレス鋼など）からなるものでも良く、且つ、引抜加工により成形される形材や型鋼なども含まれる。
また、前記押出形材と連結される他部材には、別の押出形材のほか、型鋼や、金属製の条材、棒材、板材、あるいは、各種の製品（例えば、ブレーカー（遮断器））または部品（例えば、連結用のブラケット）も含まれ、他部材の一部には、例えば、製品（ブレーカー）のベース板やフランジが挙げられる。
更に、前記他部材は、前記押出形材における連結片の外側面に対して、直角を含む任意の角度で交差するように面接触するほか、上記外側面に当該他部材の一部が上記同様にして面接触するものでも良い。
【０００９】
また、前記押出形材における一対の内側片の各内面に対向して形成される一対の雌ネジ面は、当該押出形材の押出方向と直交する深さ方向に沿って、互いに半ピッチずれてネジ山およびネジ谷が形成され、係るネジ山およびネジ谷が押出方向の全長に沿って刻設されている。係る一対の雌ネジ面は、一つの雌ネジ溝を構成し、前記ボルトやビスの雄ネジ部の周面のうち直径方向で対向する位置のネジ山およびネジ谷とネジ結合する。
更に、前記押出形材において、前記連結片、一対の内側片、および一対の雌ネジ面は、当該押出形材で一組のみを配置した形態、断面で対向する辺に対称に２組を配置した形態、あるいは、断面矩形（正方形または長方形）状の押出形材における３辺毎または４辺毎の内側に３組または４組を配置した形態としても良い。
また、押出形材の連結片に設ける前記通し孔の内径は、前記ボルトのネジ山径よりも若干大きいことが望ましい。
加えて、他部材に設けられる前記ボルト用の貫通孔の内径も、そのネジ山径よりも若干大きいことが望ましい。
【００１０】
また、本発明には、前記一対の内側片の先端部は、互いに接近するように傾斜している、押出形材と他部材との連結構造（請求項２）も含まれる。
これによれば、他部材および押出形材の連結片の通し孔を貫通したボルトの雄ネジ部が、それぞれ雌ネジ面を有する一対の内側片の間に螺旋状にねじ込まれつつ進入した際に、係る一対の内側片の先端部が互いに接近するように傾斜しているので、一対の内側片の先端側が弾性変形によって互いに離れる事態を防止できる。従って、ボルトの雄ネジ部と、押出形材側の一対の雌ネジ面とのネジ結合を一層強固で且つ安定したものにできる。
【００１１】
更に、本発明には、前記一対の内側片の先端部は、直角に交差する底片を介して連結され、係る底片、前記一対の雌ネジ面、および前記連結片の内側面に囲まれた中空部が形成されている、押出形材と他部材との連結構造（請求項３）も含まれる。
これによれば、他部材および押出形材の連結片の通し孔を貫通したボルトの雄ネジ部が、それぞれ雌ネジ面を有する一対の内側片の間に螺旋状にねじ込まれつつ進入した際に、一対の内側片の先端側が直交する底片により連結され、且つ一対の雌ネジ面を含む中空部内に進入する。そのため、係るボルトの雄ネジ部と、押出形材側の一対の雌ネジ面とのネジ結合を強固で且つ安定したものとなる。
しかも、屋外などで用いた際には、他部材と押出形材の連結片の通し孔とを貫通して該押出形材の中空部に進入したボルトの雄ネジ部を伝って雨水が浸透した場合でも、該雄ネジ部は中空部内に留まるため、屋内側への漏水を防止することもできる。
【００１２】
加えて、本発明には、前記一対の雌ネジ面に挟まれた位置における前記連結片の外側面と内側面との間の厚みは、係る一対の雌ネジ面におけるネジ谷径の４０％以上である、押出形材と他部材との連結構造（請求項４）も含まれる。
これによれば、前記押出形材における一対の雌ネジ面に挟まれた位置における前記連結片の外側面と内側面との間の厚みが、係る一対の雌ネジ面におけるネジ谷径の４０％以上である。そのため、他部材を貫通したボルトの雄ネジを一対の雌ネジ面にねじ込む際に、押出方向に沿って傾く事態を確実に防止できる。その結果、係るボルトの雄ネジ部を、一対の雌ネジ面の幅（深さ）方向に沿って、容易且つ確実にねじ込むことができる。
尚、前記連結片の外側面と内側面との間の厚みは、より望ましくは、一対の雌ネジ面におけるネジ谷径の６０％以上、更により望ましくは、８０％以上である。但し、上記厚みの上限は、金属材料の節約のため、ネジ谷径の約１００％が適当である。
【図面の簡単な説明】
【００１３】
【図１】本発明に用いる一形態の押出形材を示す孔明け前後の斜視図。
【図２】上記押出形材の孔明け前後の断面図。
【図３】上記押出形材とブレーカー（製品）との連結構造を示す概略図。
【図４】上記押出形材とブレーカーとの連結構造の概略を示す部分斜視図。
【図５】上記押出形材の応用形態の押出形材を示す断面図。
【図６】上記応用形態の押出形材とブレーカーとの連結構造を示す部分断面図。
【図７】異なる形態の押出形材を示す断面図。
【図８】上記押出形材と下地材との連結構造を含む建物外装用格子ルーバーを示す斜視図。
【図９】図７で示した押出形材の応用形態の押出形材を示す断面図。
【図１０】更に異なる形態の押出形材を示す断面図。
【図１１】上記押出形材とブレーカーとの連結構造を示す部分断面図。
【図１２】別な形態の押出形材を示す断面図。
【図１３】別異な形態の押出形材を示す断面図。
【図１４】更に別異な形態の押出形材を示す断面図。
【図１５】図１３の押出形材同士をブラケットを介して連結した構造の斜視図。
【図１６】別個の形態の押出形材を示す断面図。
【図１７】図９で示した押出形材の応用形態を示す断面図。
【発明を実施するための形態】
【００１４】
以下において、本発明を実施するための形態について説明する。
図１は、本発明に用いる一形態の押出形材Ｅ１を示す孔明け前後の斜視図、図２は、その断面図である。
押出形材Ｅ１は、アルミニウム合金（例えば、Ａ６０６３−Ｔ５）などの金属からなり、図１，図２中で白抜き矢印の左側に示すように、他部材を連結すべき外側面２ａを有する連結片２、その一端から直角に延びた長片１０、および係る長片１０の一端から更に直角に延び且つ上記連結片２と平行な短片１１を備え、これらからなるコ字形状の断面を、押出方向（図示の前後方向）の全長に沿って有する。
上記連結片２の内側面２ｂの中央付近には、係る連結片２と直角で且つ互いに平行にして図示で垂直方向に延びた一対の内側片４ａ，４ｂが突設され、これらの内面には、一対の雌ネジ面６ａ，６ｂが対向して形成されている。係る一対の雌ネジ面６ａ，６ｂによって雌ネジ溝６が構成されている。この雌ネジ面６ａ，６ｂは、押出形材Ｅ１の押出方向と直交する深さ（幅）方向に沿って、互いに半ピッチずれており、例えば、Ｍ５またはＭ６のネジ山およびネジ谷が形成され、係るネジ山およびネジ谷が押出方向の全長に沿って刻設されている。
【００１５】
図１，図２中の左側に示すように、前記一対の内側片４ａ，４ｂごとの先端には、これらから直角で且つ互いに離れるように延びた一対のフランジ５が個別に突設されている。また、一対の内側片４ａ，４ｂに挟まれた位置における連結片２の外側面２ａの中央には、断面ほぼＶ字形のノッチｎが全長に沿って形成されている。更に、図２の左側に示すように、前記一対の雌ネジ面６ａ，６ｂに挟まれた位置における連結片２の内側面２ｃと外側面２ａとの間の厚みｔは、一対の雌ネジ面６ａ，６ｂのネジ谷径ｄの４０％以上（例えば、３ｍｍ）となるように、他の部分（例えば、１．５ｍｍ）よりも厚肉とされている。
上記ノッチｎに軸心が一致するように、連結片２に対して垂直で且つその外側面２ａと内側面２ｃとの間に、図示しないドリルによって孔明け加工を施す。
その結果、図１，図２中で白抜き矢印の右側に示すように、連結片２の外側面２ａと内側面２ｃとの間に、円形の通し孔９が穿孔される。該通し孔９は、押出形材Ｅ１の押出（長手）方向に沿った所望の位置に複数個が形成され、その内径は、後述するボルトＢ１の雄ネジ部ｂ１のネジ山径よりも若干大きくされている。
【００１６】
次に、前記押出形材Ｅ１と他部材であるブレーカー（製品）２０との連結構造Ｓ１について、図３，図４により説明する。
先ず、図示しない建物などに鋼製の複数のアングル２６を水平で且つ平行に固定する。該アングル２６は、水平片２７と垂直片２８からなり、係る垂直片２８には、予め、長円形の貫通孔２９がその長手方向に沿って複数個穿設されている。
次に、図３，図４に示すように、前記通し孔９が形成された左右一対の押出形材Ｅ１，Ｅ１を対称な姿勢とし、それらの短片１１ごとに設けた図示しない貫通孔と、アングル２６ごとの垂直片２８における貫通孔２９とに、ボルトＢ２を貫通し且つその雄ネジ部ｂ２にナットＮを締結する。その結果、図示のように、一対の押出形材Ｅ１，Ｅ１は、水平な複数のアングル２６に対し、垂直で且つ互いに所定間隔をおいて対称に固定される。
次いで、図３に示すように、一対の押出形材Ｅ１の連結片２ごとの外側面２ａ，２ａに跨って、ブレーカー２０のベース板２２を添接し、且つ外側面２ａごとに面接触させる。該ブレーカー２０は、スイッチ２３を表面に突設する本体２１と、平板で且つ四角形状のベース板２２と、バック部２５とを備え、ベース板２２の各コーナー付近には、内径が前記通し孔９と同様の貫通孔２４が穿設されている。
【００１７】
更に、図３中の右側の矢印で示すように、バネ座金ｗ１と平座金ｗ２とを装着したボルトＢ１の雄ネジ部ｂ１を、ブレーカー２０のベース板２２の貫通孔２４と、押出形材Ｅ１の連結片２の通し孔９とに挿通した後、そのネジ山・ネジ谷を雌ネジ溝６の雌ネジ面６ａ，６ｂにおけるネジ谷・ネジ山に順次ネジ結合させてねじ込む。
その結果、図３中の左側および図４に示すように、ブレーカー２０のベース板（製品の一部）２２と、押出形材Ｅ１の連結片２とは、ボルトＢ１の雄ネジ部ｂ１と、押出形材Ｅ１側の雌ネジ面６ａ，６ｂとのネジ結合により構成される連結構造Ｓ１により、強固に連結される。尚、ボルトＢ１は、ステンレス鋼製が好ましい。
以上のような押出形材Ｅ１とブレーカー２０のベース板２２との連結構造Ｓ１によれば、ボルトＢ１の雄ネジ部ｂ１は、押出形材の雌ネジ溝６に対し、その深さ方向に沿って傾くことなくねじ込まれ、雌ネジ面６ａ，６ｂと強固にネジ結合されると共に、従来のように、一対の雌ネジ面６ａ，６ｂからなる雌ネジ溝６を外部から目隠しするカバーを嵌め込む必要もなくなる。従って、施工数およびコストを低減できると共に、外観の意匠性も向上させることが可能となる。
【００１８】
図５は、前記押出形材Ｅ１の応用形態である押出形材Ｅ２の断面図である。
この押出形材Ｅ２は、図５に示すように、前記同様の連結片２、長片１０、短片１１、一対の内側片４ａ，４ｂ、一対のフランジ５、および一対の雌ネジ面６ａ，６ｂからなる雌ネジ溝６を備えている。係る押出形材Ｅ２が前記押出形材Ｅ１と相違するのは、一対の内側片４ａ，４ｂの先端部３ａ，３ｂが、内面の雌ネジ面６ａ，６ｂと共に互いに接近するように傾斜している点である。
図６に示すように、前記ブレーカー２０のベース板２２を連結片２の外側面２ａに面接触させ、前記同様のボルトＢ１の雄ネジ部ｂ１をブレーカー２０のベース板２２の貫通孔２４と、押出形材Ｅ２の連結片２の通し孔９とに貫通させた後、そのネジ山・ネジ谷を雌ネジ溝６の雌ネジ面６ａ，６ｂにおけるネジ谷・ネジ山に順次ネジ結合させてねじ込む。この際、内側片４ａ，４ｂの先端部３ａ，３ｂは、図６中のカーブした矢印で示すように、上記雄ネジ部ｂ１の進入に伴って互いに離れるように若干外側に弾性変形すると共に、これらの雌ネジ面６ａ，６ｂに対して雄ネジ部ｂ１の先端側が強固にネジ結合する。
その結果、図６に示すように、前記ブレーカー２０のベース板２２と押出形材Ｅ２との連結構造Ｓ２が得られる。該連結構造Ｓ２によれば、前記連結構造Ｓ１に比べて一層強固で且つ安定させて、ブレーカー２０を一対の押出形材Ｅ２間に固定することができる。
【００１９】
図７は、異なる形態の押出形材Ｅ３の断面図である。
押出形材Ｅ３は、図７に示すように、前記同様の連結片２、短片１１、一対の内側片４ａ，４ｂ、および一対の雌ネジ面６ａ，６ｂからなる雌ネジ溝６を備えると共に、連結片２と短片１１との両端同士を図示で左右一対の長片１０ａ，１０ｂにより連結することで、内側に長方形状の中空部１２を押出方向の全長に沿って内設している。即ち、押出形材Ｅ３は、中空押出形材である。
図７に示すように、前記ブレーカー２０のベース板２２を連結片２の外側面２ａに面接触させた後、図中の矢印で示すように、前記同様のボルトＢ１の雄ネジ部ｂ１をブレーカー２０のベース板２２の貫通孔２４と、押出形材Ｅ３の連結片２の通し孔９とに貫通させ、更に、そのネジ山・ネジ谷を雌ネジ溝６の雌ネジ面６ａ，６ｂにおけるネジ谷・ネジ山に順次ネジ結合させてねじ込む。その結果、前記連結構造Ｓ１，Ｓ２と同様な連結構造を得ることができる。
【００２０】
図８は、垂直姿勢で且つ互いに平行な複数の前記押出形材Ｅ３と、これらに直角に連結された上下一対の水平な下地材（他部材）３０とから構成された建物外装用の格子ルーバーＲを示す斜視図である。上記下地材３０は、前記同様の押出形材（別の押出形材）あるいは型鋼からなり、上下一対のフランジ３２，３３とこれらの間を接続する垂直なウェブ３１とからなる断面コ字形を呈する。
予め、ウェブ３１に複数の貫通孔（図示せず）が等間隔に穿設された上下一対の下地材３０を、図示しない建物における所望の外装部分に水平で且つ互いに離しつつ平行に固定する。次に、図８で奥側のウェブ３１が前記押出形材Ｅ３の連結片２の外側面２ａに面接触するように、下地材３０と押出形材Ｅ３とを直角に交差させる。
次いで、前記同様の座金ｗ１，ｗ２が装着されたボルトＢ１の雄ネジ部ｂ１を、各下地材３０のウェブ３１の貫通孔と、押出形材Ｅ３の連結片２の通し孔９とに貫通させた後、そのネジ山・ネジ谷を雌ネジ溝６の雌ネジ面６ａ，６ｂにおけるネジ谷・ネジ山に順次ネジ結合させてねじ込む。その結果、係るボルトＢ１を介して押出形材Ｅ３と下地材３０とを直角に連結した連結構造Ｓ３が得られると共に、複数の係る連結構造Ｓ３により、建物外装用の格子ルーバーＲが構成される。
【００２１】
以上のような連結構造Ｓ３により構成される格子ルーバーＲは、予め、押出形材Ｅ３の通し孔９と下地材３０の貫通孔とを孔明けしておくだけで、所要数のボルトＢ１以外に何らの金具などを用いることなく、押出形材Ｅ３と下地材３０とを直角に且つ強固に連結する連結構造Ｓ３によって、少ない工数および低コストで施工可能であり、外観の意匠性にも優れている。
尚、複数の前記押出形材Ｅ３と下地材３０とを、前記同様の連結構造Ｓ３により直角に連結することで、ビルの外側に取り付けたジグザグ式の非常階段の周りを囲む防護壁としたり、建物の窓外側の面格子、あるいは、柵やフェンスを構成することもできる。この際、下地材３０を平面視で円弧形に曲げることで、曲面状の格子ルーバー、防護壁、面格子などを構成することも可能である。更に、柵やフェンスを構成する場合には、複数の平行な前記押出形材Ｅ３に対し、前記同様の連結構造Ｓ３によって下地材３０を斜めに連結することで、傾斜地への設置も可能である。
【００２２】
また、単数または複数の下地材３０を平面視で円形に曲げることで、ビルの外側に取り付けた螺旋式の非常階段の周りを囲む防護壁を構成することも可能である。加えて、前記押出形材Ｅ３を横向きとし、下地材３０を縦桟として、複数の連結構造Ｓ３を形成することで、水平模様の格子ルーバーＲを構成しても良い。
更に、図９に示すように、前記押出形材Ｅ３の応用形態である押出形材Ｅ４を用いても良い。係る押出形材Ｅ４は、前記同様の連結片２、長片１０ａ，１０ｂ、短片１１、一対の内側片４ａ，４ｂ、および一対の雌ネジ面６ａ，６ｂからなる雌ネジ溝６を備えると共に、一対の内側片４ａ，４ｂの先端部３ａ，３ｂを、内面の雌ネジ面６ａ，６ｂと共に互いに接近するように傾斜させている。
係る押出形材Ｅ４に前記ブレーカー２０のベース板２２をボルトＢ１を介して連結することで、前記同様の連結構造を得たり、あるいは、複数の押出形材Ｅ４と前記下地材３０と併用して、前記格子ルーバーＲを施工することもできる。
【００２３】
図１０は、本発明に用いる更に異なる押出形材Ｅ５の断面図である。
押出形材Ｅ５は、前記同様のアルミニウム合金からなり、図１０に示すように、前記同様の連結片２、長片１０、短片１１、一対の内側片４ａ，４ｂ、および一対の雌ネジ面６ａ，６ｂからなる雌ネジ溝６を備えている。係る押出形材Ｅ５が前記押出形材Ｅ１〜Ｅ４と相違するのは、一対の内側片４ａ，４ｂの先端部が、これらと直角に交差する底片７を介して連結され、該底片７、雌ネジ面６ａ，６ｂ、および連結片２の内側面２ｃに囲まれた中空部８を有する点である。
図１１に示すように、前記同様に、連結片２に通し孔９を穿設し、その外側面２ａに前記ブレーカー２０のベース板２２を面接触させ、ボルトＢ１の雄ネジ部ｂ１を、ベース板２２の貫通孔２４と連結片２の通し孔９とを貫通させる。更に、上記ボルトＢ１の雄ネジ部ｂ１のネジ山・ネジ谷を雌ネジ溝６の雌ネジ面６ａ，６ｂにおけるネジ谷・ネジ山に順次ネジ結合させてねじ込む。この際、雌ネジ溝６の雌ネジ面６ａ，６ｂ間の距離が全面において不変であるため、上記雄ネジ部ｂ１と雌ネジ面６ａ，６ｂとのネジ結合が強固且つ正確に行われる。
その結果、図１１に示すように、前記ブレーカー２０のベース板２２を一対の押出形材Ｅ５に強固に連結した連結構造Ｓ４が得られる。該連結構造Ｓ４も前記連結構造Ｓ１〜Ｓ３などと同様な効果を奏することができる。
【００２４】
また、図１２に示すように、前記押出形材Ｅ５の応用形態である押出形材Ｅ６としても良い。係る押出形材Ｅ６は、前記同様の連結片２、長片１０ａ，１０ｂ、短片１１、一対の内側片４ａ，４ｂ、一対の雌ネジ面６ａ，６ｂからなる雌ネジ溝６、底片７、これら囲まれた中空部８、および大きな中空部１２を備えている。
係る押出形材Ｅ６に前記ブレーカー２０のベース板２２をボルトＢ１を介して連結することで、前記同様の連結構造を得ることができる。あるいは、押出形材Ｅ６と前記下地材３０と併用して、前記格子ルーバーＲを施工することもできる。
【００２５】
図１３は、本発明に用いる別異の押出形材Ｅ７の断面図である。
係る押出形材Ｅ７は、前記同様のアルミニウム合金からなり、図１３に示すように、前記同様の連結片２により四辺を形成し、且つ中空部１３を内設した断面ほぼ正方形を呈し、各連結片２の内側面２ｂごとに、一対の内側片４ａ，４ｂ、一対のフランジ５、および一対の雌ネジ面６ａ，６ｂからなる２組の雌ネジ溝６を互いに対称とし、且つ図示の前後方向（押出方向）の全長に沿って有している。
図１４は、上記押出形材Ｅ７の変形形態である押出形材Ｅ８の断面図を示す。
係る押出形材Ｅ７は、図１４に示すように、前記同様の連結片２により四辺を形成し、且つ中空部１４を内設した断面ほぼ正方形を呈し、各連結片２の内側面２ｂごとに、一対の内側片４ａ，４ｂ、一対の雌ネジ面６ａ，６ｂからなる雌ネジ溝６、底片７、および中空部８を２組ずつ互いに対称にして、且つ図示の前後方向（押出方向）の全長に沿って有している。
【００２６】
図１５は、前記押出形材Ｅ７同士を直角に連結した構造を示す斜視図である。
図１５に示すように、垂直姿勢とした押出形材Ｅ７において、垂直方向が同じ位置で且つ隣接する一対の連結片２に対し、水平姿勢とした左右一対の押出形材Ｅ７を互いに直交するように配置し、これらの上側の内隅部に配設した他部材のブラケット（部品）４０を介し、前記ボルトＢ１を用いた複数の連結構造Ｓ５によって、３つの押出形材Ｅ７を互いに直角に連結したものである。
上記ブラケット４０は、鋼材などからなり、互いに直角の垂直片４１および水平片４２と、これらの一辺間を接続する三角片４３とからなり、垂直片４１，水平片４２には、複数の貫通孔（図示せず）が穿設されている。
【００２７】
先ず、図１５に示すように、水平姿勢とした左右一対の押出形材Ｅ７の上側の連結片２の端部に、ブラケット４０の水平片４２を面接触させ、且つ垂直姿勢とした押出形材Ｅ７において隣接する連結片２に対し、上記ブラケット４０の垂直片４１を面接触させる。次に、各ブラケット４０の垂直片４１および水平片４２の貫通孔と、各押出形材Ｅ７の連結片２に設けた前記通し孔９とに、複数のボルトＢ１の雄ネジ部ｂ１を個別に貫通させ、更に、係る雄ネジ部ｂ１のネジ山・ネジ谷を、押出形材Ｅ７ごとの雌ネジ溝６の雌ネジ面６ａ，６ｂにおけるネジ谷・ネジ山に順次ネジ結合させてねじ込む。
その結果、図１５に示すように、各押出形材Ｅ７と２個のブラケット４０とは、前記同様である複数の連結構造Ｓ５を介して連結されると共に、３つの押出形材Ｅ７を、各ブラケット４０を介して互いに直角にして強固に連結できる。
【００２８】
以上のような連結構造Ｓ５によれば、複数のブラケット４０およびボルトＢのみによって、３つの押出形材Ｅ７を互いに直角にして強固に連結できると共に、従来のような雌ネジ溝６をカバーする目板などを嵌め込む作業が不要となり、且つ外観の意匠もシンプルで良好なものとできる。これにより、例えば、棚などのラックや、クリーンルーム内のケーシングの骨格を構成したり、あるいは、建物のベランダや室内の間仕切りなどの柱および梁を構成できる。
尚、図１５において、３つの押出形材Ｅ７の全て、あるいは何れかを前記押出形材Ｅ８に替えても良い。
また、前記ブラケット４０は、図１５において水平姿勢とした左右一対の押出形材Ｅ７と、垂直姿勢の押出形材Ｅ７との下側の内隅部にのみ配置したり、あるいは４箇所の内隅全てに配置して、ボルトＢ１により連結構造Ｓ５を構成しても良い。
【００２９】
本発明は、以上において説明した各形態に限定されるものではない。
例えば、図１６に示すように、前記同様の連結片２、長片１０、一対の内側片４ａ，４ｂ、一対の雌ネジ面６ａ，６ｂからなる雌ネジ溝６、底片７、および中空部８を備え、断面全体がほぼＬ字形を呈する押出形材Ｅ９を用いても良い。尚、該形材Ｅ９は、底片７および中空部８がなく、内側片４ａ，４ｂの先端に一対のフランジ５を突設した形態でも良い。
また、図１７に示すように、前記同様で且つ左右一対ずつの連結片２、および一対の長片１０ａ，１０ｂからなり、断面全体が長方形状で且つ中空部１５を内設していると共に、連結片２ごとの内側片２ｃに設けた一対の内側片４ａ，４ｂ、一対のフランジ５、および一対の雌ネジ面６ａ，６ｂからなる雌ネジ溝６を左右対称に有する押出形材Ｅ１０を用いても良い。尚、該押出形材Ｅ１０は、一対の雌ネジ溝６に底片７および中空部８を有する形態でも良い。
更に、前記押出形材Ｅ２，Ｅ５と押出形材Ｅ９とを用いて、前記ブレーカー２０などを支持するようにしても良い。
また、前記押出形材Ｅ４，Ｅ６と押出形材Ｅ９とを用いて前記格子ルーバーなどを構成しても良い。この際、押出形材Ｅ４，Ｅ６を横向きとし、且つ押出形材Ｅ９を縦方向の下地材としても良い。
加えて、本発明において、押出形材に連結される他部材には、金属製の板材、各種断面のパイプ、各種断面を有し且つ比較的厚肉の条材なども含まれる。
【産業上の利用可能性】
【００３０】
本発明によれば、押出形材の連結片および他部材に孔明け加工し、これらの孔に貫通させたボルトの雄ネジ部を上記押出形材の内側に位置する雌ネジ溝を構成する一対の雌ネジ面にネジ結合することで、上記ボルトを所要の姿勢にして強固な連結が得られると共に、カバー用の目板などの嵌め込み作業を不要とし、且つ外観の意匠性を高めることに貢献できる。
【符号の説明】
【００３１】
Ｓ１〜Ｓ５……連結構造
Ｅ１〜Ｅ１０…押出形材
２………………連結片
２ａ……………外側面
２ｂ，２ｃ……内側面
３ａ，３ｂ……先端部
４ａ，４ｂ……内側片
６ａ，６ｂ……雌ネジ面
７………………底片
８………………中空部
９………………通し孔
２０……………ブレーカー（他部材：製品）
２２……………ベース板（製品の一部）
３０……………下地材（他部材）
４０……………ブラケット（他部材：部品）
Ｂ１……………ボルト
ｂ１……………雄ネジ部
【図１】
0005404283.tif 000002
【図２】
0005404283.tif 000003
【図３】
0005404283.tif 000004
【図４】
0005404283.tif 000005
【図５】
0005404283.tif 000006
【図６】
0005404283.tif 000007
【図７】
0005404283.tif 000008
【図８】
0005404283.tif 000009
【図９】
0005404283.tif 000010
【図１０】
0005404283.tif 000011
【図１１】
0005404283.tif 000012
【図１２】
0005404283.tif 000013
【図１３】
0005404283.tif 000014
【図１４】
0005404283.tif 000015
【図１５】
0005404283.tif 000016
【図１６】
0005404283.tif 000017
【図１７】
0005404283.tif 000018